(57)【要約】【課題】画質の低下を抑制しつつ、駆動時の消費電力を低減する。【解決手段】複数の信号線ＳＩＧｊと、複数の走査線ＳＣＮｉと、共通電位線ＶＣＭと、複数の画素２１と、駆動部と、を有する。駆動部は、２ライン飛び越し走査と３つのフィールド分割に対応して、１画像を表す画像信号を分け、この画像信号を、複数の信号線ＳＩＧ１〜ｎに対し同じ極性の信号電位Ｖｓｉｇとしてフィールドごとに順次、供給する（信号線駆動）。駆動部は、１画像の表示期間に全ての走査線ＳＣＭ１〜ｍが異なる組み合わせで選択されるように、２段飛び越しで３回選択する（走査線駆動）。この走査線駆動と信号線駆動からなる１つの駆動処理を、１画像の表示期間の前半と後半で２回繰り返す。さらに駆動部は、その繰り返しの最中にフィールドが切り替わるたびに、共通電位Ｖｃｏｍを基準とする信号電位Ｖｓｉｇの極性を反転する。【選択図】図１
2009271142.tif 000002
【特許請求の範囲】
【請求項１】
複数の信号線と、
複数の走査線と、
共通電位が印加される共通電位線と、
前記複数の信号線と前記複数の走査線の各交差箇所に配置され、前記走査線の選択時に前記信号線から入力された電位と前記共通電位との電位差で画素内の液晶層が駆動される複数の画素と、
前記複数の信号線に与える信号電位と、前記複数の走査線の電圧と、前記共通電位とを駆動する駆動部と、
を有し、
前記駆動部は、
２ライン飛び越しで選択される複数の画素行から１フィールドが構成され、かつ、画素行の組み合わせがフィールド間で異なる３つのフィールドに、入力される１画像を表す画像信号を分け、３つのフィールドに分けた当該画像信号を、フィールドごとに極性が同じ前記信号電位として前記複数の信号線に対しフィールドごとに順次、供給する信号線駆動と、前記１画像の表示期間に全ての前記走査線が異なる組み合わせで選択されるように、前記複数の走査線を２段飛び越しで３回選択する走査線駆動と、からなる１つの駆動処理を、前記１画像の表示期間の前半と後半で２回繰り返し、当該駆動処理を２回行っている最中に前記フィールドが切り替わるたびに、前記複数の信号線に供給するときの、前記共通電位を基準とする前記信号電位の極性を反転する
液晶表示装置。
【請求項２】
前記駆動部は、時間的に隣接する２つの前記フィールド間に存在するブランキング期間に、当該ブランキング期間より時間的に後のフィールド内における画像信号の最大電位差の中間の電位に、前記信号線を充電する
請求項１に記載の液晶表示装置。
【請求項３】
前記駆動部は、前記駆動処理の１回目と２回目で、前記信号電位の極性と、前記共通電極に与える共通電圧の極性とを、互いに反転する
請求項１に記載の液晶表示装置。
【請求項４】
前記駆動部は、
前記画像信号を記憶する記憶部と、
前記記憶部から読み出した画像信号と、当該画像信号より後に入力される他の画像信号との差分を演算する差分演算部と、
前記差分演算部が算出した２つの画像信号の差分値に応じて前記２ライン飛び越しによる３フィールド分割を行うか否かを判定する判定部と、
を有し、
前記駆動部は、
前記２ライン飛び越しによる３フィールド分割を含む前記駆動処理を、前記１画像の表示期間の前半と後半で２回繰り返す分割駆動と、
前記２ライン飛び越しによる３フィールド分割を行うことなく前記画像信号を、前記複数の信号線に対し同じ極性の信号電位として供給する信号線駆動と、前記全ての前記走査線を１ラインごとに順次、選択する走査線駆動と、からなる他の駆動処理を、前記１画像の表示期間の前半と後半で２回繰り返す非分割駆動とを、
前記判定部の判定結果に基づいて切り替え、
前記分割駆動と前記非分割駆動の何れにおいても駆動処理の１回目と２回目で、前記複数の信号線に供給するときの、前記共通電位を基準とする前記信号電位の極性を反転する
請求項１に記載の液晶表示装置。
【請求項５】
複数の信号線と、
複数の走査線と、
共通電位が印加される共通電位線と、
前記複数の信号線と前記複数の走査線の各交差箇所に配置され、前記走査線の選択時に前記信号線から入力された電位と前記共通電位との電位差で画素内の液晶層が駆動される複数の画素と、
前記複数の信号線に与える信号電位と、前記複数の走査線の電圧と、前記共通電位とを駆動する駆動部と、
を有し、
前記駆動部は、
２ライン飛び越しで選択される複数の画素行から１フィールドが構成され、かつ、画素行の組み合わせがフィールド間で異なる３つのフィールドに、入力される１画像を表す画像信号を分け、３つのフィールドに分けた当該画像信号を、フィールドごとに極性が同じ前記信号電位として前記複数の信号線に対しフィールドごとに順次、供給する信号線駆動と、前記１画像の表示期間に全ての前記走査線が異なる組み合わせで選択されるように、前記複数の走査線を２段飛び越しで３回選択する走査線駆動と、からなる１つの駆動処理を、前記１画像の表示期間に偶数回繰り返し、当該偶数回の駆動処理を行っている間に前記フィールドが変わるたびに、前記複数の信号線に供給するときの、前記共通電位を基準とする前記信号電位の極性を反転する
液晶表示装置。
【請求項６】
複数の信号線と、
複数の走査線と、
共通電位が印加される共通電位線と、
前記複数の信号線と前記複数の走査線の各交差箇所に配置され、前記走査線の選択時に前記信号線から入力された電位と前記共通電位との電位差で画素内の液晶層が駆動される複数の画素と、
前記複数の信号線に与える信号電位と、前記複数の走査線の電圧と、前記共通電位とを駆動する駆動部と、
を有し、
前記駆動部は、
ｎ（ｎは２以上の偶数）ライン飛び越しで選択される複数の画素行から１フィールドが構成され、かつ、画素行の組み合わせがフィールド間で異なる（ｎ＋１）個のフィールドに、入力される１画像を表す画像信号を分け、（ｎ＋１）個のフィールドに分けた当該画像信号を、フィールドごとに極性が同じ前記信号電位として前記複数の信号線に対しフィールドごとに順次、供給する信号線駆動と、前記１画像の表示期間に全ての前記走査線が異なる組み合わせで選択されるように、前記複数の走査線をｎ段飛び越しで（ｎ＋１）回選択する走査線駆動と、からなる１つの駆動処理を、前記１画像の表示期間に偶数回繰り返し、当該偶数回の駆動処理を行っている間に前記フィールドが変わるたびに、前記複数の信号線に供給するときの、前記共通電位を基準とする前記信号電位の極性を反転する
液晶表示装置。
【請求項７】
複数の信号線と複数の走査線の各交差箇所に配置される複数の画素のマトリクス配列内で、２ライン飛び越しで選択される複数の画素行から１フィールドが構成され、かつ、フィールド間で画素行の組み合わせが異なる３フィールドに、入力される１画像を現す画像信号を分割する、画像信号の分割ステップと、
前記３フィールドに分けた前記画像信号を、フィールドごとに極性が同じ信号電位として前記複数の信号線に対しフィールドごとに順次、供給する、画像信号の供給ステップと、
前記１画像の表示期間に全ての前記走査線が異なる組み合わせで選択されるように、前記複数の走査線を２段飛び越しで３回選択する、走査線の駆動ステップと、
前記画像信号の分割ステップ、前記画像信号の供給ステップおよび前記走査線の駆動ステップからなる駆動処理を、前記１画像の表示期間の前半と後半で２回繰り返すステップと、
を含み、
前記画像信号の供給ステップにおいて、前記画素内の液晶層に与える電圧を前記信号電位との電圧差で規定する共通電位を基準とする前記信号電位の極性を、前記２回繰り返すステップの前記駆動処理の１回目と２回目で反転する
液晶表示装置の駆動方法。
【請求項８】
複数の信号線と複数の走査線の各交差箇所に配置される複数の画素のマトリクス配列内で、２ライン飛び越しで選択される複数の画素行から１フィールドが構成され、かつ、フィールド間で画素行の組み合わせが異なる３フィールドに、入力される１画像を現す画像信号を分割する、画像信号の分割ステップと、
前記３フィールドに分けた前記画像信号を、フィールドごとに極性が同じ信号電位として前記複数の信号線に対しフィールドごとに順次、供給する、画像信号の供給ステップと、
前記１画像の表示期間に全ての前記走査線が異なる組み合わせで選択されるように、前記複数の走査線を２段飛び越しで３回選択する、走査線の駆動ステップと、
前記画像信号の分割ステップ、前記画像信号の供給ステップおよび前記走査線の駆動ステップからなる駆動処理を、前記１画像の表示期間内に偶数回繰り返すステップと、
を含み、
前記画像信号の供給ステップにおいて、前記画素内の液晶層に与える電圧を前記信号電位との電圧差で規定する共通電位を基準とする前記信号電位の極性を、前記駆動処理を偶数回繰り返す間に前記フィールドが変わるたびに反転する
液晶表示装置の駆動方法。
【発明の詳細な説明】
【技術分野】
【０００１】
本発明は、液晶層を有する複数の画素によって画像を表示する液晶表示装置と、その駆動方法とに関する。
【背景技術】
【０００２】
液晶表示装置の用途は、電卓等の反射光源による文字情報表示に始まり、背面光源とスーパーツイステドネマティック液晶モードによる透過型情報表示に変遷した。さらに、薄膜トランジスタに代表される画素選択素子に対するマトリクス駆動と色フィルタとの組み合わせにより、静止画像および動画像のカラー表示が液晶表示装置で可能となった。その後は、液晶表示装置の高精細化と大型化の進展が今日の大型液晶テレビの実現をもたらしている。
【０００３】
一方、中型、小型の液晶表示装置は、多結晶シリコン薄膜トランジスタの技術により、駆動回路と表示部の一体形成化、駆動電圧の低電圧化、また、表示領域の高精細化が進んでいる。中型、小型の液晶表示装置の用途は、携帯電話やデジタルカメラなどの携帯型電子機器の登場と相まって拡大し、携帯型電子機器の普及とともに中型、小型の液晶表示装置の市場規模も拡大している。
これらの電子機器は携帯中に使用されるためバッテリ駆動が前提である。そのため、携帯型電子機器に使用される液晶表示装置に対して、消費電力が小さいことが厳しく要求される。
【０００４】
液晶は元来、絶縁性が非常に高く、それ自体に電流が流れて電力を消費することはなく直流電源でも表示が可能である。しかし、液晶は液体であるが故に僅かな導電性不純物が不可避的に含有されると液晶をはさむ基板表面に電気二重層が形成され、同じ電圧を印加しても液晶駆動の実効電圧が次第に低下する。そのため、液晶に交流電圧が印加され、絶えずリフレッシュされながら駆動される。
【０００５】
交流信号の印加期間にも僅かな表示輝度の変化が生じるため、交流信号の周波数が低いと人間の目にフリッカとして輝度変化の振幅が認識されてしまう。そのため一般に液晶表示装置は、１フレームを16.7[msec]とした30[Hz]の交流駆動がなされている。液晶表示装置では、この交流駆動をアクティブマトリクス駆動に組み合わせて適用する。アクティブマトリクス駆動では、表示画素行ごとに走査線が画面の一方から他方に順番に選択されて走査が行われ、その走査によって、選択中の表示画素行の液晶に、走査線と直交する信号線から情報が順番に書き込まれていく。
【０００６】
奇数フレームと偶数フレームとで、液晶に書き込むべき画像信号の符号を反転させる、いわゆる「１Ｆ反転駆動」が知られている。１Ｆ反転駆動では、１画面で最初に選択される走査線に対応する画素は、画像信号の符号（共通電位に対する極性）を反転して直ぐに情報が書き込まれる。これに対し、１画面で最後に選択される走査線に対応する画素は、画像信号の符号を反転してから情報が書き込まれるまでに相対的に長い時間を要し、選択トランジスタのソースとドレイン間に大きな電圧が長くかかるためリーク電流が増大する。このリーク電流等により液晶の実効電圧が低下するため、１画面でみると走査線の走査方向において輝度にグラデーションが発生する。
【０００７】
１Ｆ反転駆動で生じるグラデーション等の表示品質の低下を防止するため、走査行ごとに信号線に与える画像信号の符号を反転させる、いわゆる「ライン反転駆動」が知られている。ライン反転駆動を行うと、液晶をリフレッシュする際に、表示画面内の輝度の均一性低下が改善される。
しかし、ライン反転駆動を行うと、高い周波数で信号線の電位を反転駆動し信号線の負荷を絶えず充放電するため、消費電力の増大を招いてしまう。
能動素子アレイ側の基板（駆動基板）と対向する側の基板（対向基板）に逆相の電圧振幅を与えると、信号線の駆動電圧レベル（絶対値）を低くしても液晶に同じ電圧（所定の映像信号の電圧）を印加できる。上記逆相の電圧振幅としては通常、共通電位Ｖｃｏｍを反転駆動することから、この方法は「コモン反転駆動」として知られている。コモン反転駆動では、信号線の駆動電圧レベルを低くしているため、信号線の負荷を充放電する電力が、その分、抑制される。
【０００８】
携帯型電子機器の使用可能時間を更に延ばすためには、更なる消費電力の低減が求められている。
これに対する方策として、走査線の奇数行と偶数行とに分けて、奇数フレーム前半で奇数行に正の信号を印加した後、後半で偶数行に負の信号を印加し、偶数フレームでその逆相の駆動を行なう方法が知られている（例えば、特許文献１参照）。
また、この特許文献１に記載の方法における「ちらつき」を改善するために、走査線群を２つないしは４つのグループに分けて、奇数フレームで正符号充電と負符号充電とを分散配置し、偶数フレームでそれぞれの符号を反転する方法が知られている（例えば、特許文献２参照）。
さらに、奇数行と偶数行の飛び越し走査における「横縞」の発生を防止するために、分散配置は奇数行、偶数行として、奇数フレームで奇数行、偶数行の順に正、負の印加をしたら、偶数フレームでの符号反転は偶数、奇数の順とする方法が知られている（例えば、特許文献３参照）。
【特許文献１】特開２００４−２８７０８７号公報
【特許文献２】特開平１１−３５２９３８号公報
【特許文献３】特開２０００−２５０４９６号公報
【発明の開示】
【発明が解決しようとする課題】
【０００９】
特許文献１に記載の方法でちらつきが発生することは、特許文献２に記載の方法でも、ちらつきが発生する領域が若干狭くなるだけであり、本質的には変わりがない。
特許文献３に記載の方法では、請求項、第１および第２の実施形態の記載によれば、必ず１／２フレーム期間で全ラインが同じ極性になるため、フレーム反転駆動と同様にシェーディングによる画質低下が生じる。
上記特許文献１〜３に記載の何れの方法においても、新たな画像情報を表示の際に（１／２）フレーム期間だけ１つ前の画像情報が残ることになり、動画表示の際の画質を損なう不都合がある。
【００１０】
本発明は、画質の低下を抑制しつつ、駆動時の消費電力を低減した液晶表示装置と、その駆動方法を提供するためのものである。
【課題を解決するための手段】
【００１１】
本発明の第１の観点に関わる液晶表示装置は、複数の信号線と、複数の走査線と、共通電位が印加される共通電位線と、前記複数の信号線と前記複数の走査線の各交差箇所に配置され、前記走査線の選択時に前記信号線から入力された電位と前記共通電位との電位差で画素内の液晶層が駆動される複数の画素と、前記複数の信号線に与える信号電位と、前記複数の走査線の電圧と、前記共通電位とを駆動する駆動部と、を有する。
前記駆動部は、２ライン飛び越しで選択される複数の画素行から１フィールドが構成され、かつ、画素行の組み合わせがフィールド間で異なる３つのフィールドに、入力される１画像を表す画像信号を分け、３つのフィールドに分けた当該画像信号を、フィールドごとに極性が同じ前記信号電位として前記複数の信号線に対しフィールドごとに順次、供給する信号線駆動と、前記１画像の表示期間に全ての前記走査線が異なる組み合わせで選択されるように、前記複数の走査線を２段飛び越しで３回選択する走査線駆動と、からなる１つの駆動処理を、前記１画像の表示期間の前半と後半で２回繰り返し、当該駆動処理を２回行っている最中に前記フィールドが切り替わるたびに、前記複数の信号線に供給するときの、前記共通電位を基準とする前記信号電位の極性を反転する。
【００１２】
上記第１の観点に関わる液晶表示装置において、前記駆動部は、時間的に隣接する２つの前記フィールド間に存在するブランキング期間に、当該ブランキング期間より時間的に後のフィールド内における画像信号の最大電位差の中間の電位に、前記信号線を充電するとよい。
あるいは、好ましくは、前記駆動部は、前記駆動処理の１回目と２回目で、前記信号電位の極性と、前記共通電極に与える共通電圧の極性とを、互いに反転するとよい。
以上の付加的な事項は、後述する他の観点でも同様に適用可能である。
【００１３】
上記第１の観点に関わる液晶表示装置において、前記駆動部は、前記画像信号を記憶する記憶部と、前記記憶部から読み出した画像信号と、当該画像信号より後に入力される他の画像信号との差分を演算する差分演算部と、前記差分演算部が算出した２つの画像信号の差分値に応じて前記２ライン飛び越しによる３フィールド分割を行うか否かを判定する判定部と、を有する。
前記駆動部は、前記２ライン飛び越しによる３フィールド分割を含む前記駆動処理を、前記１画像の表示期間の前半と後半で２回繰り返す分割駆動と、非分割駆動とを、判定部の判定結果に基づいて切り替えることができる。ここで「非分割駆動」とは、前記２ライン飛び越しによる３フィールド分割を行うことなく前記画像信号を、前記複数の信号線に対し同じ極性の信号電位として供給する信号線駆動と、前記全ての前記走査線を１ラインごとに順次、選択する走査線駆動と、からなる他の駆動処理を、前記１画像の表示期間の前半と後半で２回繰り返す駆動である。
さらに前記駆動部は、前記分割駆動と前記非分割駆動の何れにおいても駆動処理の１回目と２回目で、前記複数の信号線に供給するときの、前記共通電位を基準とする前記信号電位の極性を反転する。
以上の付加的な事項は、後述する他の観点でも同様に適用可能である。
【００１４】
本発明の第２の観点に関する液晶表示装置は、第１の観点と同様に、複数の信号線と、複数の走査線と、共通電位線と、複数の画素と、駆動部とを有する。
第２の観点における前記駆動部は、２ライン飛び越しで選択される複数の画素行から１フィールドが構成され、かつ、画素行の組み合わせがフィールド間で異なる３つのフィールドに、入力される１画像を表す画像信号を分け、３つのフィールドに分けた当該画像信号を、フィールドごとに極性が同じ前記信号電位として前記複数の信号線に対しフィールドごとに順次、供給する信号線駆動と、前記１画像の表示期間に全ての前記走査線が異なる組み合わせで選択されるように、前記複数の走査線を２段飛び越しで３回選択する走査線駆動と、からなる１つの駆動処理を、前記１画像の表示期間に偶数回繰り返し、当該偶数回の駆動処理を行っている間に前記フィールドが変わるたびに、前記複数の信号線に供給するときの、前記共通電位を基準とする前記信号電位の極性を反転する。
【００１５】
本発明の第３の観点に関する液晶表示装置は、第１、第２の観点と同様に、複数の信号線と、複数の走査線と、共通電位線と、複数の画素と、駆動部とを有する。
第３の観点における前記駆動部は、ｎ（ｎは２以上の偶数）ライン飛び越しで選択される複数の画素行から１フィールドが構成され、かつ、画素行の組み合わせがフィールド間で異なる（ｎ＋１）個のフィールドに、入力される１画像を表す画像信号を分け、（ｎ＋１）個のフィールドに分けた当該画像信号を、フィールドごとに極性が同じ前記信号電位として前記複数の信号線に対しフィールドごとに順次、供給する信号線駆動と、前記１画像の表示期間に全ての前記走査線が異なる組み合わせで選択されるように、前記複数の走査線をｎ段飛び越しで（ｎ＋１）回選択する走査線駆動と、からなる１つの駆動処理を、前記１画像の表示期間に偶数回繰り返し、当該偶数回の駆動処理を行っている間に前記フィールドが変わるたびに、前記複数の信号線に供給するときの、前記共通電位を基準とする前記信号電位の極性を反転する。
【００１６】
本発明の第４の観点に関わる液晶表示装置の駆動方法は、複数の信号線と複数の走査線の各交差箇所に配置される複数の画素のマトリクス配列内で、２ライン飛び越しで選択される複数の画素行から１フィールドが構成され、かつ、フィールド間で画素行の組み合わせが異なる３フィールドに、入力される１画像を現す画像信号を分割する、画像信号の分割ステップと、前記３フィールドに分けた前記画像信号を、フィールドごとに極性が同じ信号電位として前記複数の信号線に対しフィールドごとに順次、供給する、画像信号の供給ステップと、前記１画像の表示期間に全ての前記走査線が異なる組み合わせで選択されるように、前記複数の走査線を２段飛び越しで３回選択する、走査線の駆動ステップと、前記画像信号の分割ステップ、前記画像信号の供給ステップおよび前記走査線の駆動ステップからなる駆動処理を、前記１画像の表示期間の前半と後半で２回繰り返すステップと、を含み、前記画像信号の供給ステップにおいて、前記画素内の液晶層に与える電圧を前記信号電位との電圧差で規定する共通電位を基準とする前記信号電位の極性を、前記２回繰り返すステップの前記駆動処理の１回目と２回目で反転する。
【００１７】
本発明の第５の観点に関する液晶表示装置の駆動方法は、複数の信号線と複数の走査線の各交差箇所に配置される複数の画素のマトリクス配列内で、２ライン飛び越しで選択される複数の画素行から１フィールドが構成され、かつ、フィールド間で画素行の組み合わせが異なる３フィールドに、入力される１画像を現す画像信号を分割する、画像信号の分割ステップと、
前記３フィールドに分けた前記画像信号を、フィールドごとに極性が同じ信号電位として前記複数の信号線に対しフィールドごとに順次、供給する、画像信号の供給ステップと、前記１画像の表示期間に全ての前記走査線が異なる組み合わせで選択されるように、前記複数の走査線を２段飛び越しで３回選択する、走査線の駆動ステップと、前記画像信号の分割ステップ、前記画像信号の供給ステップおよび前記走査線の駆動ステップからなる駆動処理を、前記１画像の表示期間内に偶数回繰り返すステップと、を含み、前記画像信号の供給ステップにおいて、前記画素内の液晶層に与える電圧を前記信号電位との電圧差で規定する共通電位を基準とする前記信号電位の極性を、前記駆動処理を偶数回繰り返す間に前記フィールドが変わるたびに反転する。
【発明の効果】
【００１８】
本発明によれば、画質の低下を抑制しつつ、駆動時の消費電力を低減した液晶表示装置と、その駆動方法を提供することができる。
【発明を実施するための最良の形態】
【００１９】
以下、本発明の実施形態を、アクティブマトリクス駆動およびコモン反転駆動を適用した液晶表示装置を例として、図面を参照して説明する。
【００２０】
《第１実施形態》
図１（Ａ）は、本実施形態に関わる液晶表示装置の構成例を示すブロック図である。図１（Ｂ）は、画素の等価回路図である。
図１に図解する液晶表示装置１は、図１（Ａ）に示すように、表示部２、垂直駆動回路（ＶＤＲＶ）３、水平駆動回路（ＨＤＲＶ）４、および、駆動制御回路（ＤＲＶＣ）５を有している。垂直駆動回路３、垂直駆動回路３および駆動制御回路５を含んで「駆動部」が構成されている。
【００２１】
表示部２において、複数の画素２１がマトリックス状に配列されている。各画素２１は、図１（Ｂ）に示すように、画素のセレクト素子としての薄膜トランジスタ（ＴＦＴ；thin film transistor、以下、ＴＦＴ２２と表記）と、液晶層ＬＣの等価容量２３と、保持容量（付加容量ともいう）２４とを有する。
液晶層ＬＣの等価容量２３は、液晶層ＬＣの厚さ方向の一方側、すなわち不図示の駆動基板側に画素ごとの画素電極２３Ａと、他方側（不図示の対向基板側）に、電気的に例えば全画素で共通な共通電極２３Ｂとを有する。なお、駆動基板にはＴＦＴ２２が形成され、対向基板にはカラーフィルタ等が形成される。
【００２２】
ＴＦＴ２２のソースとドレインの一方に画素電極２３Ａが接続され、ＴＦＴ２２のソースとドレインの他方に信号線ＳＩＧｊが接続されている。信号線ＳＩＧｊは、図１（Ａ）に示す垂直駆動回路３に接続されるｎ本の信号線ＳＩＧ１,ＳＩＧ２,ＳＩＧ３,…,ＳＩＧｎのｊ番目（１≦ｊ≦ｎ）の信号線である。信号線は、ソース線あるいはデータ線とも称される。
共通電極２３Ｂには、例えば全画素に共通の共通電位Ｖｃｏｍが与えられる。共通電位Ｖｃｏｍを全画素で共通に与えるための構成としては、例えば図１（Ａ）に示すように、１本の共通電位線ＶＣＭにまとめて駆動制御回路５に接続するようにしてよい。なお、共通電極２３Ｂは全画素で共通の電位が与えられるための構成であれば、駆動制御回路５から出力される共通電位線ＶＣＭを複数設けて、駆動制御回路５が複数の共通電位線ＶＣＭに同じ共通電位Ｖｃｏｍを印加するようにしてもよい。
ＴＦＴ２２のゲートは行方向、即ち表示画面の横方向に並ぶｎ個の画素２１で電気的に共通化され、これにより走査線ＳＣＮｉが形成されている。走査線ＳＣＮｉは、図１に示す垂直駆動回路３から出力されるｍ本の走査線ＳＣＮ１,ＳＣＮ２,…,ＳＩＧｍのｉ番目（１≦ｉ≦ｍ）の走査線である。走査線はゲート線とも称される。
【００２３】
図１（Ｂ）に示すように、保持容量２４が等価容量２３と並列に接続されている。保持容量２４は、等価容量２３では蓄積容量が不足し、ＴＦＴ２２のリーク電流などによって書き込み電位が低下するのを防止するために設けられている。また、保持容量２４の追加はフリッカの抑圧や画面輝度の一様性向上にも役立っている。
【００２４】
駆動制御回路５は、映像信号Ｓsigを入力し、当該映像信号Ｓsigのうち１画像を現す画像信号Ｓsig(1F)を３つのフィールドｆｄ１,ｆｄ２,ｆｄ３に分割して、当該画像信号をフィールドごとに順次、水平駆動回路４に排出する第１の機能を有する。この第１の機能の詳細は後述する。また、駆動制御回路５は、この３つに分割されたフィールドに同期して、水平駆動回路４を制御する第２の機能を有する。さらに駆動制御回路５は、画像信号Ｓsig(1F)あるいはフィールドに同期して共通電位Ｖｃｏｍを反転制御する第３の機能を有する。そして、駆動制御回路５は、この３つの機能を駆使して垂直駆動回路３、水平駆動回路４および共通電位線ＶＣＭの電位を駆動し、これにより後述する駆動処理を実行する。駆動制御回路５の一部の機能を、液晶表示装置１全体を統括するコンピュータベースの統括制御回路、例えばＣＰＵやマイクロコンピュータに持たせるように、当該統括制御回路と駆動制御回路５が構成されてもよい。
【００２５】
垂直駆動回路３は、複数の画素２１のマトリクス配列における画素行ごとに、対応する１本の走査線ＳＣＮｉを選択（活性化）することを基本動作とする。この基本動作を、選択する画素行（走査線ＳＣＮｉの“ｉ”）を変更しながら、上記画素マトリクス配列における全ての画素行に対して実行する。この選択する画素行の１画面における変更動作を、ここでは「走査」と称する。
特に図示しないが、垂直駆動回路３は、走査線ＳＣＮごとの駆動ユニットと、動作させる駆動ユニットの組み合わせを決めるパルス列をシフトするシフトレジスタ等から構成される。
【００２６】
ここで、各画素行が１度だけ選択（走査）されて全ての画素行が選択される期間を「１フレーム」または「１フレーム期間」と称する。以下、「フレーム（記号：Ｆ）」は「期間」と「その期間中の表示画像」の一方または両方の意味で用いる。
また、「フィールド（記号：ｆｄ）」は、飛び越し走査によって１フレームを構成する複数の粗い表示画像の個々の画像、または、その個々の画像の表示期間を表す。よって、以下、フィールドも「期間」と「その期間の表示画像」の一方または両方の意味で用いる。
【００２７】
垂直駆動回路３は、特に本実施形態においては、駆動制御回路５の制御を受けて、１画像を３フィールドに分割することに対応して、２画素行の飛び越し走査を行う。つまり、最初の第１フィールドｆｄ１でｉ＝１，４，７，…と２段飛び越しで画素行が選択される。つぎの第２フィールドｆｄ２では、画素行を第１フィールドから１行ずらしてｉ＝２，５，８，…と２段飛び越しで画素行が選択される。そして１フレーム内の最後の第３フィールドｆｄ３では、残りのｉ＝３，５，９，…と、２段飛び越しで画素行が選択される。
なお、画素行（または走査線）の選択は、垂直駆動回路３から所定の短い持続時間（いわゆる幅）の走査パルスが、対応する走査線ＳＣＮｉに与えられことで実行される。このとき、選択された走査線ＳＣＮｉに接続されている画素行のＴＦＴ２２（図１（Ｂ）参照）が一斉にオンすることで、そのときの信号線ＳＩＧｊの電位がサンプリングされる。
【００２８】
水平駆動回路４は、駆動制御回路５を介して映像信号Ｓsig、より詳細には、映像信号Ｓsigから変換された１画像（１Ｆ）を表す画像信号Ｓsig(1F)を単位として映像信号Ｓsigを入力する。画像信号Ｓsig(1F)は、１フィールド（１Ｆ）の３フィールド分割に対応して、映像信号Ｓsigを構成する画素信号が組み直された信号である。
つまり、上記垂直駆動回路３がある画素行を選択するときに、この画素行に表示すべき階調を持つ画素信号群が、ｎ本の信号線ＳＩＧ１〜ＳＩＧｎに設定されている必要がある。垂直駆動回路３は２ライン飛び越し走査を行うことは既に述べたが、駆動制御回路５に入力される映像信号Ｓsigは、この２ライン飛び越し走査に対応していない。よって駆動制御回路５は、入力される映像信号Ｓsigを、この２ライン飛び越し走査に対応した順番に画素信号を並べ替える処理を行う。
【００２９】
水平駆動回路４は、フィールドごとの画素信号の配列（画像信号Ｓsig(1F)を単位とした映像信号）を入力し、内蔵のセレクト出力部から一斉にｎ本の信号線ＳＩＧ１,ＳＩＧ２,ＳＩＧ３,…,ＳＩＧｎに排出する機能を持つ回路である。ここでは、ｎ本の信号線ＳＩＧ１,ＳＩＧ２,ＳＩＧ３,…,ＳＩＧｎに同じ極性の画像電位が排出される。ここで「極性」とは、共通電位Ｖｃｏｍを基準とする極性を言い、本明細書では「符号」とも称する。つまり、画画像電位について、共通電位Ｖｃｏｍより大きい場合は「正の極性を持つ」あるいは「正符号の」と形容する。逆に、共通電位Ｖｃｏｍより小さい画画像電位は、「負の極性を持つ」あるいは「負符号の」と形容する。
なお、水平駆動回路４に、信号線ＳＩＧｊをプリチャージする機能を持たせてよい。
【００３０】
図２（Ａ）に、信号線ＳＩＧｊの信号電位Ｖｓｉｇｊの波形図を示す。また、図２（Ｂ）に、共通電位Ｖｃｏｍの波形図を示す。図２（Ｃ）〜図２（Ｈ）は、図１（Ａ）に示す垂直駆動回路３から連続する６本の走査線ＳＣＮｉ,ＳＣＮｉ＋１,ＳＣＮｉ＋２,ＳＣＮｉ＋３,ＳＣＮｉ＋４,ＳＣＮｉ＋５に出力されるゲート電圧Ｖｇ.ｉ〜Ｖｇ.ｉ＋５（走査パルス）の波形図である。これらの波形図は全体で駆動処理時の動作タイミングチャートを構成する。
【００３１】
本実施形態において、駆動制御回路５の制御によって、２ライン飛び越し走査の制御と、１画像を表す画像信号を３フィールドに分割して画素信号配列を組み替える制御が行われることは既に述べた。また、画素信号配列を組み替えられた画像信号が、ｎ本の信号線に同一の極性で一斉には排出されることも既に述べた。
ここで、上記３フィールド分割（画素信号配列の組み替え）をしてから、３つのフィールドに分けた画像信号を、フィールドごとに極性が同じ信号電位としてｎ本の信号線に対しフィールドごとに順次、供給することを「信号線駆動」と定義する。また、上記２ライン飛び越し走査の制御を「走査線駆動」と定義する。そして、「信号線駆動」と「走査線駆動」をあわせて「駆動処理」と定義する。
【００３２】
駆動制御回路５は、垂直駆動回路３および水平駆動回路４を制御して、この「駆動処理」を、１画像の表示期間の前半と後半で２回繰り返す。ここで言う「１画像」は動画の１コマに対応し、この表示期間は例えば16.7[msec]と決められている。駆動処理は１Ｆ期間に行うとすると、本実施形態では、１画像が２Ｆ期間で表示される。以下、この１画像、または、その表示期間を「画像フレーム」とも言う。
【００３３】
このことを図２により確認すると、１画像の表示期間（２Ｆ、例えば16.7[msec]）の前半が１Ｆ期間、後半が１Ｆ期間となっている。図２（Ａ）に示すように、信号電位Ｖｓｉｇｊの極性（符号）が、前半の１Ｆ期間で「＋」、後半の１Ｆ期間で「−」となっている。なお、図２（Ａ）では、ＤＣレベルの変化であり、画素ごとの階調に応じたＡＣレベルは図示していない。よって実際の信号電位Ｖｓｉｇｊは「＋」レベルと「−」レベルのそれぞれで、画素ごとに信号電位が細かく変化している。
【００３４】
共通電位Ｖｃｏｍは、前半の１Ｆ期間と後半の１Ｆ期間で反転している。この制御も駆動制御回路５により行われる。共通電位Ｖｃｏｍのレベルは、前半の１Ｆ期間と後半の１Ｆ期間で、例えば、同じ黒画素レベル同士が、共通電位Ｖｃｏｍを基準として信号電位Ｖｓｉｇｊを見たときに同じとなるように決められている。
【００３５】
具体例を挙げると、例えば、ある実施例における液晶は最大印加電圧が4[V]で動作するように設定されているとする。この場合、信号線ＳＩＧｊからトランジスタ（ＴＦＴ２２）を介して画素電極２３Ａに印加される電圧と、対極としての共通電極２３Ｂとの間には最大で4[V]の電圧が印加される。このとき共通電極２３Ｂに印加される共通電位Ｖｃｏｍは、2.5[V]を中心に2.0[V]の振幅でフレームごとに反転する。
このように共通電位線と信号線の両方を反転動作すると、それぞれの線に印加すべき電位の基準電位（例えばＧＮＤ電位）からの絶対値が小さく、２つの線を充放電するときの電力消費が抑制される。また、共通電位Ｖｃｏｍはフレームごとの反転であるため、通常のライン反転駆動より消費電力は抑制される。
【００３６】
図２（Ｃ）〜図２（Ｈ）に示されるように、本実施形態では、前半の１Ｆ期間と後半の１Ｆ期間のそれぞれで２ライン飛び越し走査が行われる。
なお、参考として線順次駆動の走査パルスを、図３に示す。走査パルスの大元の信号である走査パルス信号ＳＰ（図３（Ａ））から形成される線順次駆動の走査パルスは、図３（Ｂ）〜図３（Ｄ）のようになる。この線順次駆動と比較すると、図２（Ｃ）〜図２（Ｈ）に示す２ライン飛び越し走査の違いがよく分かる。
【００３７】
図４は、以上の駆動方法により、画像フレーム（１画像）が表示された場合の各画素ごとの相対符号をある列に関して時系列的に表す。ここで相対符号とは、ある正または負の符号で書き込まれた蓄積電荷が、隣接の画素行の駆動によって、相対的に変化したときの電位変化の向きを「＋」と「−」で示すものである。この相対符号で表す電位変化は、画素のサイズ縮小に伴って、近隣画素間で画素電極２３Ａ同士の容量結合に起因して生じる。相対符号で表す電位変化は基本的には誘導ノイズであり、走査パルスの印加で発生し、走査パルスの印加が終了すると自然消滅する。ただし、表示装置においては、ある画素行を走査して、次に同じ画素行を走査するまでの時間は時間にすると極めて短いため、図４のように、この誘導ノイズが蓄積電位の変動成分として残ってしまう。
【００３８】
図４において、小さな四角が各画素を表し、それが縦に最大９個連なったもので、あるフィールドでの一定範囲の画素列を表している。
図４において、画素に引いた斜線は、当該画素に書き込まれた信号電位Ｖｓｉｇｊが正符号を持つことを示している。これに対し、画素に書き込まれた電位が負符号を持つ場合、当該画素はドット表示で示している。また、太い枠により囲まれた画素が、最大９画素の各画素列におけるフィールドで選択されていることを示している。
【００３９】
１画像フレーム（＝２Ｆ）の期間の前半に着目すると、２ライン飛び越し走査であるため、第１フィールドｆｄ１、第２フィールドｆｄ２、第３フィールドｆｄ３のそれぞれで、太い枠で囲む書き込み対象画素が、３個に１個の割合で等間隔に選択され、かつ、フィールド間で書き込み対象画素を含む画素ラインが１本ずつシフトしている。
このことは、１画像フレームの後半でも同じであり、さらに、次の１画像フレーム（＝２Ｆ）でも、その前半と後半のそれぞれで同様に繰り返される。
【００４０】
また、書き込まれる信号電位Ｖｓｉｇは、図４において丸で囲む正負の符号と、信号線を模した矢印の線で示すように、フィールドが切り替わるたびに、当該信号電位Ｖｓｉｇの符号（共通電位Ｖｃｏｍを基準とする極性）が正と負で切り替えられ、フィールド反転駆動が行われている。
【００４１】
最初の第１フィールドｆｄ１と第２フィールドｆｄ２では、まだ信号電位の書き込みがされていない初期状態の画素が存在し、その画素は斜線やドットが付されていない白表示により示している。第１フィールドｆｄ１の開始前では７画素全てが初期状態であるが、第１フィールドｆｄ１によって第１行、第４行および第７行の３画素に正符号の信号電位が書き込まれる（白表示から斜線表示に変化）。
【００４２】
次の第２フィールドｆｄ２では、第２行、第５行および第８行の３画素に負符号の信号電位が書き込まれる（白表示からドット表示に変化）。この書き込みによって、既に書き込まれている第１行、第４行および第７行の３画素に蓄積されている正の蓄積電位が若干負に振られる。このことを図４では相対符号の「−」で表記している。
【００４３】
次の第３フィールドｆｄ３では、第３行、第６行および第９行の３画素に正符号の信号電位が書き込まれる。この書き込みによって、既に書き込まれている第２行、第５行および第８行の３画素で蓄積されている負の蓄積電位が若干正に振られる。このことを図４では相対符号の「＋」で表記している。一方、このとき第４行、第８行の２画素も駆動行の隣接行に属するため、その蓄積電位が若干正に振られる。ただし、第４行、第８行の２画素は、第２フィールドｆｄ２で若干負に振られた画素であるため、蓄積電位が元に戻る。よって、第３フィールドｆｄ３における第４行、第８行の２画素には相対符号を付していない。
【００４４】
以下同様な動作が、後半の１Ｆ期間、さらに、これに続く他の画像フレーム期間でも繰り返される。
【００４５】
以下、本実施形態の効果の１つである時間的、空間的な電位の均一化について説明するが、ここでは、初期状態を持たない定常状態で見る必要がある。よって、前半と後半の１Ｆ期間を、図示のように２フィールド分、時間経過方向（図の右方向）にずらして画像フィールド（２Ｆ）を取り直す。このようにしても、２ライン飛び越し走査、信号電位の反転に変わりはないため、この仮にとった画像フィールド（２Ｆ´）を評価範囲とする。
【００４６】
この評価範囲では、最初の第３フィールドｆｄ３においては、相対符号「＋」が３画素ごとに現れ、これは行方向でも繰り返される（図４は１画素列のみしか示さないが、実際の表示部では、同じ状態の１画素列が列方向に何百と繰り返される）。
次の第４フィールドｆｄ４では、第３フィールドと異なる場所の離散画素に相対符号の「−」が現れ、さらに、次の第５フィールドｆｄ５においては、第３および第４フィールドと異なる場所の離散画素に相対符号「＋」が現れている。よって空間的に見ると、時間差はあるが、相対符号「＋」と「−」が、ほぼ市松模様（チェック模様）で現れ空間的に信号電位のバラツキが均一化されている。
時間的なバラツキは、各ラインの相対符号の合算値で評価できる。評価範囲の第３フィールドｆｄ３から第８フィールドｆｄ８において、第１行では相対符号「＋」と「−」が１つずつで、その合計値は「±０」である。このことは他の画素行でも同様である。よって、時間的なバラツキもなく、行による縞模様も生じない。
【００４７】
一方、消費電力に関しては、従来のライン反転駆動した場合、信号線充電にかかる消費電力Ｐが次式(1-1)となるのに対し、本実施形態では、次式(1-2)となる。
【００４８】
［数１］
P=(1/2)*(480)/(33ms)*C*V2…(1-1)
P=3/(33ms)*C*(V/2)2      …(1-2)
【００４９】
上記式において、符号“C”は配線等の負荷容量を表し、符号“V”は配線の印加電圧を表す。上記式の比較により、本実施形態ではライン反転駆動に比べて最高で消費電力を1/320に低減することができる。
【００５０】
以上の第１実施形態では、以下の効果を奏する。
第１に、１画像フレームの走査を完了した時点で、画面内の信号極性は正負がほぼ均等に配分され、輝度のグラデーションが解消される。
第２に、ある走査線行（画素行）に着目したとき、時間変化のなかで信号極性は正負が均等に配分され、電気的偏りがなくなる。
第３に、消費電力が大幅に低減される。
第４に、２フィールド分割に比べると残像が低減される。
【００５１】
《第２実施形態》
第２実施形態は、１画像フレームを２フレーム以外の偶数フレーム、例えば４フレームで構成する。
１画像フレームを４フレームで構成した場合、信号電位を反転する周波数が第１実施形態より２倍になり、その分、消費電力が増加する。しかし、上記式から、1画像フレームを４フレームで構成した場合でも、ライン反転駆動に比べると消費電力の低減率は1/160になり、十分な低減率が達成される。
１画像フレームを４フレーム構成とすると、信号電位が書き込まれてから次に同じ（または異なる）信号電位が書き込まれるまでの周期が、第１実施形態より半減するため、リーク電流等の影響が、その分低減され、残像が減る。この残像は、１画像フレームを６Ｆ、８Ｆ、…とさらに構成フレーム数を大きくするにつれて改善される。ただし、次第に消費電力も大きくなる傾向にある。
なお、第１実施形態では、３フィールド分割であるため、従来の２フィールド分割より残像は、それ自体で低減されている。
【００５２】
第２実施形態では、第１実施形態の効果に加え、さらにフレーム数が４つ以上の場合、次の画像フレームへの残像が1/2フレーム分であるため、次の画像フレームへの残像が１画像フレームの1/8に低減され、画質劣化が抑制される。また隣接フィールド間のブランキング時間に信号線群の電圧を所期の最大電圧に対する中間電圧に予め充電することで、全走査行ｍの中の同一極性であるｍ/(n+1)行の充電に際して、平均負荷がほぼ半減する。さらに共通電極の電圧を信号線群と逆相とすることで同様に負荷が半減することができる。
【００５３】
《第３実施形態》
本実施形態は、駆動制御回路５の詳細な構成に関する。本実施形態では、画像信号の差分演算により、静止画や動きがほとんどない動画では、２ライン飛び越し走査を停止する制御を行う。
【００５４】
図５に、駆動制御回路５のブロック図を示す。
図５に図解する駆動制御回路５は、サンプリング制御部５１、「記憶部」としてのフレームメモリ５２と、差分演算部５３、「判定部」としての駆動モード判定部５４、第１符号反転部５５、および、第２符号反転部５６を含む。
【００５５】
極性をもたないビデオ信号（映像信号Ｓsig）は、サンプリング制御部５１に入力可能となっている。
サンプリング制御部５１は、１画像フレーム分の信号をサンプリングし、サンプリング後の信号（３フィールド分割構成の画像信号）は、フレームメモリ５２に格納される。ここで「サンプリング」とは、１画像フレームを３フィールド構成に画素信号単位で並べ替える動作である。よって、サンプリング後の信号は、３フィールド分割構成の画像信号Ｓsig(1F)に相当し、この単位でフレームメモリ５２に格納される。
【００５６】
差分演算部５３は、サンプリング制御部５１とフレームメモリ５２のそれぞれから１画像フレーム単位で、時系列で異なる画像信号、例えば時間的に連続した２つの画像フレームを入力可能となっている。差分演算部５３は、入力した画像信号を、画像フレーム同士で比較する。具体的には、同じアドレスの画素信号ごとに差分を演算し、その差分（絶対値）を蓄積する。画像フレーム分の差分演算が終了すると、その蓄積された差分値を、駆動モード判定部５４に出力する。
【００５７】
一方、サンプリング制御部５１は、サンプリング後の信号（３フィールド分割構成の画像信号Ｓsig(1F)等）を、第１符号反転部５５に出力可能になっている。サンプリング制御部５１、第１符号反転部５５および第２符号反転部５６は、駆動モード判定部５４の制御に応じて、サンプリング（３フィールド分割）するか否かと、符号反転するかが制御される。
【００５８】
駆動モード判定部５４は、入力された蓄積差分値を、所望の閾値と比較し、入力された蓄積差分値が閾値を越えた場合、駆動モード判定部５４が２ライン飛び越し駆動をさせるための制御信号を、サンプリング制御部５１と第２符号反転部５６に送る。
これによりサンプリング制御部５１は３画素ラインごとにビデオ信号をサンプリングし、さらに、フィールドごとに順次、符号反転するように第１符号反転部５５で処理されて、図１（Ａ）の水平駆動回路４に排出される。これにより、３フィールド構成の画像信号（信号電位Ｖｓｉｇを持つ信号）が第１符号反転部５５から水平駆動回路４に出力される。
駆動モード判定部５４は第２符号反転部５６にも制御信号を送るため、外部から入力され、または、内部発生するＣＯＭ信号は、信号電位Ｖｓｉｇと逆相になるように第２符号反転部５６で符号反転されて、共通電位Ｖｃｏｍとして図１（Ａ）の共通電位線ＶＣＭに排出される。
【００５９】
一方、駆動モード判定部５４における比較結果において、入力された蓄積差分値が閾値以下の場合、駆動モード判定部５４が従来のライン反転駆動のための制御信号をサンプリング制御部５１と第１符号反転部５５に送る。これによりサンプリング制御部５１は、１画素ラインごとにビデオ信号をサンプリングする。サンプリング後のビデオ信号は、さらに、１画素列ごとに順次符号反転するように第１符号反転部５５で処理されて、図１（Ａ）の水平駆動回路４に排出される。これにより、２フィールド構成の従来の画像信号が第１符号反転部５５から水平駆動回路４に出力される。
駆動モード判定部５４は、第２符号反転部５６にも制御信号を送る。第２符号反転部５６は、外部から入力され、または、内部発生するＣＯＭ信号を、入力する制御信号に基づいて、信号電位Ｖｓｉｇと逆相になるように符号反転する。符合反転後のＣＯＭ信号は、共通電位Ｖｃｏｍを与える信号として図１（Ａ）の共通電位線ＶＣＭに排出される。
【００６０】
サンプリング制御部５１は、サンプリング動作に同期してパルスの停止を制御する制御信号を発生する機能を有する。この制御信号は、走査信号（走査パルスの元となるデューティ比が50[%]の周期的な信号）と同期して、図１（Ａ）に示す垂直駆動回路３に送られる。垂直駆動回路３内には、シフトレジスタの前段に、パルスの停止を変更可能に制御するパルス停止制御回路（不図示）が設けられている。このパルス停止制御回路に、パルス停止制御回路は、例えば、３フィールド分割の場合、表示行数をカウントする循環カウンタの機能を持ち、１、４、７、…の順にカウントされるパルスを通過して、他のパルスを停止し、次に、２、５、８、…の順にカウントされるパルスを通過して他のパルスを停止し、最後に、３、６、９、…の順にカウントされるパルスを通過して他のパルスを停止するように動作する。
従来のライン反転駆動の場合は、１つおきにパルスを停止する。
【００６１】
本実施形態では、蓄積差分値が閾値を越える、すなわち、画像に有意の動きがある場合には、２ライン飛び越し走査に基づく駆動（３フィールド分割駆動）が行われる。また、蓄積差分値が閾値以下の場合には、２段飛び越し駆動が行なわれる。
よって、有意の動きがある動画の場合の残像が抑制され、かつ、有意の動きがない動画や静止画の場合はより消費電力低減効果が大きい駆動方法が選択される。
【００６２】
＜変形例１＞
上記第１〜第３実施形態では共通電位Ｖｃｏｍの反転駆動で説明した。しかし、駆動部は、時間的に隣接する２つのフィールド間に存在するブランキング期間に、当該ブランキング期間より時間的に後のフィールド内における画像信号の最大電位差の中間の電位に信号線ＳＩＧを充電するようにしてもよい。また、このＶｃｏｍ補正を、コモン反転駆動の中心電位の補正に用いてもよい。
【００６３】
以上の第１〜第３実施形態では、信号線充電の周波数と振幅を低減して、消費電力を削減することができる。さらに共通電極の符号を信号線電圧と相対的に反転することでさらに電圧振幅を低減することができる。また、面内画素の時間的、空間的均一性を実現することができ、表示劣化の少ない高品質な表示素子を提供することができる。
特に第３実施形態では、表示システムにフレームメモリを備えて前後の画像フレーム信号間の差分演算結果により、上記の飛び越し駆動を行なうか否かを制御する。これにより、第３実施形態では、動きのある画像表示時には残像の少ない駆動を行ない、動きの少ない画像表示時には消費電力の少ない駆動を行なうことができる。
【図面の簡単な説明】
【００６４】
【図１】本発明の実施形態に関わる液晶表示装置の構成例を示すブロック図と、画素の等価回路図である。
【図２】信号線の信号電位、共通電位、および走査線のゲート電圧の波形を示すタイミングチャートである。
【図３】線順次駆動の走査パルス等を示す参考例のタイミングチャートである。
【図４】本発明の実施形態の効果である電位の空間的、時間的な均一性の説明図である。
【図５】本発明の第３実施形態に関わる駆動制御部のブロック図である。
【符号の説明】
【００６５】
１…液晶表示装置、２…表示部、２１…画素、２２…ＴＦＴ、２３…液晶層の等価容量、２３Ａ…画素電極、２３Ｂ…共通電極、２４…保持容量、３…垂直駆動回路、４…水平駆動回路、５…駆動制御部、５１…サンプリング制御部、５２…フレームメモリ、５３…差分演算部、５４…駆動モード判定部、５５…第１符号反転部、５６…第２符号反転部、ＳＩＧｊ…信号線、ＳＣＮｉ…走査線、ＶＣＭ…共通電位線、Ｖｓｉｇ…信号電位、Ｖｇ…ゲート電圧、Ｖｃｏｍ…共通電位、Ｆ…フレーム、ｆｄ…フィールド
【図１】
2009271142.tif 000003
【図２】
2009271142.tif 000004
【図３】
2009271142.tif 000005
【図４】
2009271142.tif 000006
【図５】
2009271142.tif 000007